(57)【特許請求の範囲】
【請求項１】
商品登録手段により商品が登録されるとその商品の販売データを売上げ処理し、登録締め手段により１買物客が買上げる商品の登録終了が宣言されるとその買物客が買上げた商品の代金を決済処理する商品販売登録データ処理装置において、
商品を買上げる買物客に対して画像を表示可能な画像表示部と、
画像データを再生して前記画像表示部に画像を表示させる画像再生手段と、
１買物客が買上げる商品の登録が開始されたか否かを判断する登録開始判断手段と、
この判断手段が登録開始を判断したことを条件に前記画像再生手段による画像再生を一旦停止させ前記画像データの先頭から再生させる頭出し制御手段と、
を具備したことを特徴とする商品販売登録データ処理装置。
【発明の詳細な説明】
【０００１】
【発明の属する技術分野】
本発明は、買物客に対する表示器にコマーシャル画像等を表示させることのできる電子式キャッシュレジスタ，ＰＯＳ（Point Of Sales：販売時点情報管理）ターミナル等の商品販売登録データ処理装置に関する。
【０００２】
【従来の技術】
近年、ＰＯＳターミナル等の商品販売登録データ処理装置に、ＣＲＴ（Cathode Ray Tube）ディスプレイや液晶ディスプレイ等の画像表示器を接続し、画面を買物客側に向けてチェックアウトカウンタに設置する。そして、この画像表示器に静止画によるコマーシャル画像を常時表示させて、買物客に対して新製品等の宣伝を行えるようにしたものは、既に実用化されている。
【０００３】
また、静止画の代わりに動画によるコマーシャル画像を表示させるようにして、よりインパクトのある宣伝ができるようにした商品販売登録データ処理装置も考えられている（特開平６−３３３１５９号公報等参照）。
【０００４】
【発明が解決しようとする課題】
しかしながら、従来のこの種の商品販売登録データ処理装置は、状況に拘らず画像表示器に静止画または動画のコマーシャル画像を常時表示させていたので、買物客が見ていないときも画像が表示され続けていた。
また、特に動画は、画像の表示順に意味付けがされていたり、ストーリー立てされているコマーシャルに多用されるが、画像が常時表示されていた場合、買上商品の代金を精算するためにレジに来た買物客は、途中から見るため内容が分からず、充分な宣伝効果が得られないことがあった。
【０００５】
本発明はこのような事情に基づいてなされたもので、その目的とするところは、買物客が買上げる商品の登録開始に応じてコマーシャル等の画像を所定箇所から所定順序で表示させることで、買物客に対して充分な宣伝効果が得られる商品販売登録データ処理装置を提供しようとするものである。
【０００６】
【課題を解決するための手段】
本願請求項１記載の発明は、商品登録手段により商品が登録されるとその商品の販売データを売上げ処理し、登録締め手段により１買物客が買上げる商品の登録終了が宣言されるとその買物客が買上げた商品の代金を決済処理する商品販売登録データ処理装置において、商品を買上げる買物客に対して画像を表示可能な画像表示部と、画像データを再生して画像表示部に画像を表示させる画像再生手段と、１買物客が買上げる商品の登録が開始されたか否かを判断する登録開始判断手段と、この判断手段が登録開始を判断したことを条件に画像再生手段による画像再生を一旦停止させ画像データの先頭から再生させる頭出し制御手段とを備えたものである。
【０００９】
【発明の実施の形態】
以下、本発明の一実施の形態を、図面を用いて説明する。なお、この実施の形態は、ＰＯＳターミナルに本発明を適用した場合である。
【００１０】
図１は本実施の形態におけるＰＯＳターミナルの外観図であり、図２は同ＰＯＳターミナルのブロック図である。すなわち、ＰＯＳターミナルは、制御部１を内蔵したターミナル本体２の正面側（オペレータ側）にキーボード３とオペレータ用表示器４とを設け、背面側（客側）に客用表示器５を設けている。また、ターミナル本体２の内部にレシート印字用のプリンタ６を設け、このプリンタ６によって印字されたレシートをターミナル本体２の上面に形成したレシート発行口７から排出するようになっている。さらに、現金などを収容するためのドロワ８をターミナル本体１の下に配置するとともに、バーコードをスキャニングして読取るスキャナ９を制御部１の周辺機器インタフェース部１８ａに接続している。
【００１１】
前記制御部１は、制御部本体を構成するＣＰＵ（Central Processing Unit）１１、ブートプログラムなどの固定的データが予め格納されたＲＯＭ（Read Only Memory）１２、前記ＣＰＵ１１によってデータの書込み及び読出しが行われるＲＡＭ（Random Access Memory）１３、内蔵のハードディスクに対してデータの書込み及び読出しを行うＨＤＤ（Hard Disc Drive）装置１４、着脱自在に装着されるフロッピディスクに対してデータの書込み及び読出しを行うＦＤＤ（Floppy Disk Drive）装置１５、日付及び時刻を計時する時計部１６、通信回線で接続された上位装置（ストアコントローラ）との間で行うデータ通信を制御する通信ボード１７及び前記スキャナ９，キーボード３，オペレータ用表示器４，客用表示器５，プリンタ６，ドロワ８の各周辺機器を接続可能な複数の周辺機器インタフェース部１８ａ，１８ｂ，１８ｃ，１８ｄ，１８ｅ，１８ｆを備え、各部をシステムバス１９で接続して構成したものである。
【００１２】
さて、本実施の形態においては、客面表示器５をＣＲＴディスプレイや液晶ディスプレイ等の画像表示器とし、図３に示すように、その画面の一部を販売登録された商品の品名，値段や取引合計金額，釣銭等を表示する登録情報表示エリア５１とし、残りを動画によるコマーシャル画像等の表示エリア５２としている。
そして、図２に示すように、動画データをハードウェアによって再生するための回路が組込まれた動画再生手段としての動画再生ボード２０を前記システムバス１９に接続することで、ＣＰＵ１１の負荷が大きくなることなく動画再生機能を実現にしている。
【００１３】
また、前記ＲＡＭ１３には、動画再生機能を実現するためのメモリエリアとして、特に図４に示すように、動画データを記録した動画ファイルを複数設定記憶可能な動画ファイル設定テーブル１３１と、動画再生機能を有効にするか否かを指定する動画再生ステータス情報（１：有効にする，０：無効にする）を設定記憶する動画再生設定テーブル１３２と、動画再生モードを、常時動画を表示する第１の動画再生モードとするか、商品登録時のみ動画を表示する第２の動画再生モードとするかを指定する再生モード情報（１：第１の動画再生モード，２：第２の動画再生モード）を設定記憶する再生モード設定テーブル１３３と、登録開始時の頭出し再生機能を有効にするか否かを指定する頭出し再生ステータス情報（１：有効にする，０：無効にする）を設定記憶する頭出し再生設定テーブル１３４と、登録フラグｆ１及び動画再生フラグｆ２の各フラグデータを記憶するフラグテーブル１３５とを形成している。
【００１４】
ここで、登録フラグｆ１は、当該ＰＯＳターミナルの商品登録手段（スキャナ９またはキーボード３）により１買物客が買上げる商品の１点目が登録されたことに応じて“１”にセットされ、登録締め手段（キーボード３の締めキー）によりこの買物客が買上げる商品の登録終了が宣言されたことに応じて“０”にリセットされるフラグである。
また、動画再生フラグｆ１は、動画ファイル設定テーブル１３１に格納された１つの動画ファイルの再生開始に応じて“１”にセットされ、この動画ファイルの再生終了に応じて“０”にリセットされるフラグである。
【００１５】
動画ファイル設定テーブル１３１には、例えば通信ボード１７に接続された上位装置から新製品のコマーシャル画像等の動画データを格納した動画ファイルが適時ダウンロードされており、常に複数の動画ファイルを保持している。
また、動画再生設定テーブル１３２，再生モード設定テーブル１３３及び頭出し再生設定テーブル１３４には、設定業務を選択することにより所望する情報（動画再生ステータス情報，再生モード情報，頭出し再生ステータス情報）任意に設定できるようになっており、設定後はシステムリセットを行うようになっている。
【００１６】
しかして、前記ＣＰＵ１１は、システムリセット後の立上げ処理において、特に図５の流れ図に示す動画再生モード判別処理ルーチンを実行するものとなっている。先ず、ＳＴ（ステップ）１として動画再生設定テーブル１３２に設定記憶されている動画再生ステータス情報をチェックする。ここで、動画再生ステータス情報が動画再生を無効にする情報“０”であった場合には（ＳＴ２のＮＯ）、この判別処理ルーチンを抜ける。
【００１７】
これに対し、動画再生ステータス情報が動画再生を有効にする情報“１”であった場合には（ＳＴ２のＹＥＳ）、ＳＴ３として再生モード設定テーブル１３３Ｉに設定記憶されている再生モード情報をチェックする。ここで、再生モード情報が常時動画を表示する第１の動画再生モードとする情報“１”であった場合には（ＳＴ４の「１」）、ＳＴ５として頭出し再生設定テーブル１３４に設定記憶されている頭出し再生ステータス情報をチェックする。ここで、頭出し再生ステータス情報が頭出し再生機能を無効にする情報“０”であった場合には（ＳＴ５のＮＯ）、ＳＴ６として動画再生モード１-1の動画再生処理ルーチンを起動させて、この判別処理ルーチンを抜ける。
【００１８】
これに対し、頭出し再生ステータス情報が頭出し再生機能を有効にする情報“１”であった場合には（ＳＴ５のＹＥＳ）、ＳＴ７として動画再生モード１-2の動画再生処理ルーチンを起動させて、この判別処理ルーチンを抜ける。
【００１９】
一方、再生モード情報が商品登録時のみ動画を表示する第２の動画再生モードとする情報“２”であった場合には（ＳＴ４の「２」）、ＳＴ８として動画再生モード２の動画再生処理ルーチンを起動させて、この判別処理ルーチンを抜ける。
【００２０】
図６は前記動画再生モード１-1の動画再生処理ルーチンの要部を示す流れ図である。すなわちＣＰＵ１１は、前記動画再生モード判別処理の結果、動画再生モード１-1の動画再生処理ルーチンが起動されると、ＳＴ１１として動画ファイル設定テーブル１３１の先頭ファイルエリア（No.１のエリア）に再生ポインタ［＊］をセットする。次に、ＳＴ１２として上記再生ポインタ［＊］がセットされたファイルエリアに動画ファイルが格納されているか否かをチェックする。そして、動画ファイルが格納されていることを確認すると（ＳＴ１３のＹＥＳ）、ＳＴ１４としてその再生ポインタ［＊］がセットされたファイルエリアに格納されている動画ファイルの再生開始を動画再生ボード２０に指令する。
【００２１】
これにより、動画再生ボード２０の作用によって該当する動画ファイルの動画データが再生され、客用表示器５の画像表示エリア５２に表示される。このとき、動画データの再生開始に応じてフラグテーブル１３５の動画再生フラグｆ２が“１”にセットされ、この動画データの再生終了に応じて同動画再生フラグｆ２が“０”にリセットされるので、ＣＰＵ１１は、ＳＴ１５として動画再生フラグｆ２を監視して、該当する動画ファイルの動画データ再生終了を待機する。
【００２２】
ＳＴ１５にて動画再生フラグｆ２が“０”にリセットされたことにより動画データの再生終了を検知したならば、ＣＰＵ１１は、ＳＴ１６として動画ファイル設定テーブル１３１の再生ポインタ［＊］を次のファイルエリアに移動する。しかる後ＳＴ１２に戻り、再生ポインタ［＊］がセットされたファイルエリアに動画ファイルが格納されているか否かをチェックする。そして、動画ファイルが格納されていることを確認すると、その動画ファイルの再生開始を動画再生ボード２０に指令する。動画ファイルが格納されていないことを確認した場合には（ＳＴ１３のＮＯ）、ＳＴ１１に戻り、動画ファイル設定テーブル１３１の先頭ファイルエリアに再生ポインタ［＊］をセットする。そして、この先頭の動画ファイルの再生開始を動画再生ボード２０に指令する。
【００２３】
したがって、動画再生モード１-1の動画再生処理ルーチンが起動した場合には、動画ファイル設定テーブル１３１に設定されている順番に動画ファイルの動画データが繰り返し再生される。その結果、客用表示器５の画像表示エリア５２にはコマーシャル等の動画が常に順番に表示されるようになる。
【００２４】
図７は前記動画再生モード１-2の動画再生処理ルーチンの要部を示す流れ図である。すなわちＣＰＵ１１は、前記動画再生モード判別処理の結果、動画再生モード１-2の動画再生処理ルーチンが起動されると、ＳＴ２１として動画ファイル設定テーブル１３１の先頭ファイルエリアに再生ポインタ［＊］をセットする。次に、ＳＴ２２として再生ポインタ［＊］がセットされたファイルエリアに動画ファイルが格納されているか否かをチェックする。そして、動画ファイルが格納されていることを確認すると（ＳＴ２３のＹＥＳ）、ＳＴ２４としてその再生ポインタ［＊］がセットされたファイルエリアに格納されている動画ファイルの再生開始を動画再生ボード２０に指令する。
【００２５】
この状態で、ＣＰＵ１１は、ＳＴ２５としてフラグテーブル１３５の動画再生フラグｆ２を監視して、該当する動画ファイルの動画データ再生終了を待機する。また、ＳＴ２７としてフラグテーブル１３５の登録フラグｆ１が“１”にセットされるのを待機する（登録開始判断手段）。
ここで、登録フラグｆ１が“１”にセットされるより先に動画再生フラグｆ２が“０”にリセットされて動画ファイルの再生終了を検知した場合には（ＳＴ２５のＹＥＳ）、ＳＴ２７に進み、動画ファイル設定テーブル１３１の再生ポインタ［＊］を次のファイルエリアに移動する。しかる後ＳＴ２２に戻り、上記再生ポインタ［＊］がセットされたファイルエリアに動画ファイルが格納されているか否かをチェックする。そして、動画ファイルが格納されていることを確認すると、その動画ファイルの再生開始を動画再生ボード２０に指令する。動画ファイルが格納されていないことを確認した場合には（ＳＴ２３のＮＯ）、ＳＴ２１に戻り、動画ファイル設定テーブル１３１の先頭ファイルエリアに再生ポインタ［＊］をセットする。そして、この先頭の動画ファイルの再生開始を動画再生ボード２０に指令する。
【００２６】
一方、動画再生フラグｆ２が“０”にリセットされるより先に登録フラグｆ１が“１”にセットされた場合には（ＳＴ２６のＹＥＳ）、動画ファイルの動画データ再生途中で１買物客が買上げる１点目の商品登録が行われたので、ＳＴ２８としてこの動画ファイルの動画データ再生中止を動画再生ボード２０に指令する。また、ＳＴ２９として動画ファイル設定テーブル１３１の再生ポインタ［＊］を次のファイルエリアに移動する（頭出し制御手段）。
【００２７】
しかる後、ＳＴ３１に進み、再生ポインタ［＊］がセットされたファイルエリアに動画ファイルが格納されているか否かをチェックする。そして、動画ファイルが格納されていることを確認すると（ＳＴ３２のＹＥＳ）、ＳＴ３３としてその動画ファイルの再生開始を動画再生ボード２０に指令する。再生ポインタ［＊］がセットされたファイルエリアをチェックした結果、動画ファイルが格納されていないことを確認した場合には（ＳＴ２３のＮＯ）、ＳＴ３０に戻り、動画ファイル設定テーブル１３１の先頭ファイルエリアに再生ポインタ［＊］をセットする。そして、この先頭の動画ファイルの再生開始を動画再生ボード２０に指令する。
【００２８】
その後、ＣＰＵ１１は、ＳＴ３４としてフラグテーブル１３５の動画再生フラグｆ２を監視して、該当する動画ファイルの動画データ再生終了を待機する。そして、動画再生フラグｆ２が“０”にリセットされたことから動画データ再生終了を検知したならば、ＳＴ３５としてフラグテーブル１３５の登録フラグｆ１ を調べる。ここで、登録フラグｆ１が“１”にセットされていた場合には、１買物客が買上げる商品の登録が継続して行われているので、ＳＴ２９に進み、動画ファイル設定テーブル１３１の再生ポインタ［＊］を次のファイルエリアに移動する。そして、この再生ポインタ［＊］がセットされたファイルエリアに動画ファイルが格納されているか否かをチェックし、格納されている場合にはその動画ファイルの再生開始を動画再生ボード２０に指令する。また、格納されていない場合には、動画ファイル設定テーブル１３１の先頭ファイルエリアに再生ポインタ［＊］をセットし、この先頭の動画ファイルの再生開始を動画再生ボード２０に指令する。その後、該当する動画ファイルの動画データ再生終了を待機し、動画データ再生終了を検知したならば、再度、登録フラグｆ１を調べる。
【００２９】
一方、登録フラグｆ１が“０”にリセットされていた場合には、１買物客が買上げる商品の登録が終了しているので、ＳＴ２７に進み、動画ファイル設定テーブル１３１の再生ポインタ［＊］を次のファイルエリアに移動する。そして、この再生ポインタ［＊］がセットされたファイルエリアに動画ファイルが格納されているか否かをチェックし、格納されている場合にはその動画ファイルの再生開始を動画再生ボード２０に指令する。また、格納されていない場合には、動画ファイル設定テーブル１３１の先頭ファイルエリアに再生ポインタ［＊］をセットし、この先頭の動画ファイルの再生開始を動画再生ボード２０に指令する。
【００３０】
その後、該当する動画ファイルの動画データ再生が先に終了するか、登録フラグｆ１が先に“１”にセットされるかを待機する。そして、登録フラグｆ１が先に“１”にセットされた場合には、動画ファイルの動画データ再生中止を動画再生ボード２０に指令するとともに、動画ファイル設定テーブル１３１の再生ポインタ［＊］を次のファイルエリアに移動する。そして、再生ポインタ［＊］がセットされたファイルエリアに格納された動画ファイルの再生開始を動画再生ボード２０に指令する。
【００３１】
したがって、動画再生モード１-2の動画再生処理ルーチンが起動した場合には、動画ファイル設定テーブル１３１に設定されている順番に動画ファイルの動画データが繰り返し再生されるとともに、スキャナ９またはキーボード３の商品登録手段により１買物客が買上げる商品の登録が開始されたことに応じて、再生中の動画ファイルの動画データ再生が一旦停止され、直ちに次の順番の動画ファイルの動画データが先頭より再生される。その結果、客用表示器５の画像表示エリア５２にはコマーシャル等の動画が常に順番に表示されており、しかも買物客が買上げる商品の１点目の登録が開始されたならば、その都度、再生中の動画に代わって次の動画が先頭より表示されるようになる。
【００３２】
図８は前記動画再生モード２の動画再生処理ルーチンの要部を示す流れ図である。すなわちＣＰＵ１１は、前記動画再生モード判別処理の結果、動画再生モード２の動画再生処理ルーチンが起動されると、ＳＴ４１として動画ファイル設定テーブル１３１の先頭ファイルエリアに再生ポインタ［＊］をセットする。次に、ＳＴ４２としてフラグテーブル１３５の登録フラグｆ１が“１”にセットされるのを待機する（登録中判断手段）。そして、登録フラグｆ１が“１”にセットされたならば、ＳＴ４３として再生ポインタ［＊］がセットされたファイルエリアに動画ファイルが格納されているか否かをチェックする。そして、動画ファイルが格納されていることを確認すると（ＳＴ４４のＹＥＳ）、ＳＴ４５としてその再生ポインタ［＊］がセットされたファイルエリアに格納されている動画ファイルの再生開始を動画再生ボード２０に指令する（再生制御手段）。
【００３３】
その後、ＳＴ４６として動画再生フラグｆ２を監視して、該当する動画ファイルの動画データ再生終了を待機する。そして、動画再生フラグｆ２が“０”にリセットされたことにより動画データの再生終了を検知したならば、ＳＴ４７としてフラグテーブル１３５の登録フラグｆ１を調べる（登録中判断手段）。ここで、登録フラグｆ１が“１”にセットされていた場合には、１買物客が買上げる商品の登録が継続して行われているので、ＳＴ４８として動画ファイル設定テーブル１３１の再生ポインタ［＊］を次のファイルエリアに移動する。しかる後ＳＴ４３に戻り、この再生ポインタ［＊］がセットされたファイルエリアに動画ファイルが格納されているか否かをチェックし、格納されている場合にはその動画ファイルの再生開始を動画再生ボード２０に指令する。また、格納されていない場合には、動画ファイル設定テーブル１３１の先頭ファイルエリアに再生ポインタ［＊］をセットし、この先頭の動画ファイルの再生開始を動画再生ボード２０に指令する（再生制御手段）。
【００３４】
ＳＴ４７にて登録フラグが“０”にリセットされていた場合には、１買物客が買上げる商品の登録が終了しているので、ＳＴ４９として動画ファイル設定テーブル１３１の再生ポインタ［＊］を次のファイルエリアに移動した後、ＳＴ４２に戻り、再び登録フラグｆ１が“１”にセットされるのを待機する。そして、登録フラグｆ１が“１”にセットされたならば、再生ポインタ［＊］がセットされたファイルエリアに動画ファイルが格納されているか否かをチェックし、格納されている場合にはその動画ファイルの再生開始を動画再生ボード２０に指令する。また、格納されていない場合には、動画ファイル設定テーブル１３１の先頭ファイルエリアに再生ポインタ［＊］をセットし、この先頭の動画ファイルの再生開始を動画再生ボード２０に指令する。
【００３５】
したがって、動画再生モード２の動画再生処理ルーチンが起動した場合には、１買物客が買上げる商品の登録開始に連動して動画ファイル設定テーブル１３１に設定されている順番に動画ファイルの動画データが再生される。そして、１つの動画ファイルの動画データ再生が終了する毎に、登録中か否かが判断され、登録中の場合には次の動画ファイルの動画データが再生される。一方、締めキー入力により１買物客が買上げる商品の登録終了が宣言されて非登録中となったときには、その時点で動画データの再生が終了する。そして、再び次の買物客が買上げる商品の登録が開始されると、次の動画ファイルの動画データが先頭より再生される。その結果、客用表示器５の画像表示エリア５２には、買物客が買上げる商品の登録が行われている間，つまり客用表示器５の画面を買物客が見られる位置にいる間に限り、コマーシャル等の動画が表示される。しかも買物客が買上げる商品の１点目の登録が開始されたことに連動して、動画が先頭より表示されるようになる。
【００３６】
このように本実施の形態によれば、動画再生ステータス情報を“１”とし、再生モード情報を“２”として動画再生モード２を起動させることにより、買物客が買上げる商品の登録時だけコマーシャル等の画像を客用表示器５の画像表示エリア５２に表示させることができるようになる。したがって、買物客がいない時間にコマーシャル等の動画が表示され続ける無駄がなくなり、買物客に対して効率よく画像による宣伝等を行えるようになる。
しかも、この動画再生モード２においては、買物客が買上げる商品の１点目の登録が開始されたことに連動して常に動画が先頭より表示されるので、動画の内容を買物客が正確に理解できるようになり、宣伝効果を高めることができる。
【００３７】
また、動画再生ステータス情報を“１”とするとともに、再生モード情報を“１”として動画再生モード１（１-1，１-2）を起動させた場合には、コマーシャル等の画像が客用表示器５の画像表示エリア５２に常時繰り返し表示される。
【００３８】
そして、この場合において、頭出し再生ステータス情報を“１”にセットすることにより動画再生モード１-2を選択した場合には、買物客が買上げる商品の１点目の登録が開始されたことに連動して、それまで再生中の動画に代わって次の動画が先頭より表示されるので、動画の内容を買物客が正確に理解できるようになり、宣伝効果を高めることができる。
【００３９】
なお、前記一実施の形態では、図８に示した動画再生モード２の動画再生処理ルーチンにおいて、ＳＴ４７の登録フラグ判断処理で該登録フラグが“０”にリセットされていることを確認すると、ＳＴ４９として再生ポインタ［＊］を次のファイルエリアに移動させた後、ＳＴ４２に戻って登録フラグが再び“１”にセットされるのを待機するようにしたが、図９に示すように、ＳＴ４７にて登録フラグが“０”にリセットされていることを確認すると、ＳＴ４１に戻り、再生ポインタ［＊］を先頭のファイルエリアまで戻した後、登録フラグが再び“１”にセットされるのを待機するようにしてもよい。こうすることにより、買物客が入れ替わる度に、常に先頭のファイルエリアに格納された動画ファイルの動画から再生が開始されるので、優先順位の高い順に動画ファイルを動画ファイル設定テーブル１３１に格納することによって、優先順位の高い動画を優先的に買物客に見せることができるようになる。
【００４０】
また、前記一実施の形態では、動画によるコマーシャルなどの画像を表示させる場合を示したが、静止画による画像を表示させる装置においても本発明を適用できるものである。
【００４１】
この他、本発明を、登録データを表示する客用表示器とは別に画像表示専用の表示装置を外付けしたＰＯＳターミナルに適用する等、本発明の要旨を逸脱しない範囲で種々変形実施可能であるのは勿論である。
【００４２】
【発明の効果】
以上詳述したように本発明によれば、買物客が買上げる商品の登録が開始される度にコマーシャル等の画像を途中からでなく先頭から表示させることができ、買物客に対して充分な宣伝効果が得られる商品販売登録データ処理装置を提供できる。
【図面の簡単な説明】
【図１】  本発明の一実施の形態であるＰＯＳターミナルの外観図。
【図２】  同ＰＯＳターミナルの要部構成を示すブロック図。
【図３】  同ＰＯＳターミナルに設けられる客用表示器の画面構成例を示す図。
【図４】  同ＰＯＳターミナルのＲＡＭに形成する主要なメモリエリアを示す図。
【図５】  同ＰＯＳターミナルのＣＰＵが実行する動画再生モード判別処理ルーチンの要部を示す流れ図。
【図６】  同ＰＯＳターミナルのＣＰＵが実行する動画再生モード１-1の動画再生処理ルーチンの要部を示す流れ図。
【図７】  同ＰＯＳターミナルのＣＰＵが実行する動画再生モード１-2の動画再生処理ルーチンの要部を示す流れ図。
【図８】  同ＰＯＳターミナルのＣＰＵが実行する動画再生モード２の動画再生処理ルーチンの要部を示す流れ図。
【図９】  図８に示す動画再生モード２の動画再生処理ルーチンの変形例を示す流れ図。
【符号の説明】
１…制御部
５…客用表示器
１１…ＣＰＵ
２０…動画再生ボード
１３１…動画ファイル設定テーブル
１３２…動画再生設定テーブル
１３３…再生モード設定テーブル
１３４…頭出し再生設定テーブル
【図１】
0003639159.tif 000002
【図２】
0003639159.tif 000003
【図３】
0003639159.tif 000004
【図４】
0003639159.tif 000005
【図５】
0003639159.tif 000006
【図６】
0003639159.tif 000007
【図７】
0003639159.tif 000008
【図８】
0003639159.tif 000009
【図９】
0003639159.tif 000010